(57)【要約】【課題】イオン発生器の大きさや個数が制限されないイオン発生装置付きダクトを提供することを目的とする。【解決手段】室外空間１に取り付けるイオン発生装置付きダクト２の内部にイオンを放出する静電霧化手段を備えた構成にしたことにより、イオン発生装置付きダクト２を室外空間１で施工することができるため、製品の大きさや形状が制限されない。そのため、静電霧化手段の大きさや個数が制限されないイオン発生装置付きダクトを得られる。【選択図】図１
2015102283.tif 000002
【特許請求の範囲】
【請求項１】
室外空間に取り付けられ、熱交換形換気装置等の換気装置から送風された給気流を給気グリルまたは室内側ダクトへ通風するイオン発生装置付きダクトであって、室外側ダクトと連通する室外側開口と、前記給気グリルまたは前記室内側ダクトと連通する室内側開口と、前記室外側開口と前記室内側開口との間に前記給気流の通風路を形成する給気ダクトを設け、前記給気ダクトの内部にはイオンを放出する静電霧化手段を備えたことを特徴とするイオン発生装置付きダクト。
【発明の詳細な説明】
【技術分野】
【０００１】
本発明は、室内空間の除菌や脱臭を行うイオン発生装置付きダクトに関するものである。
【背景技術】
【０００２】
従来、この種のイオン発生装置付きダクトは、熱交換形換気装置等の換気装置にダクトを介して接続するものされたものが知られている（例えば、特許文献１参照）。
【０００３】
以下、そのイオン発生装置付きダクトについて図６を参照しながら説明する。
【０００４】
図６に示すように、室内１０１の天面または壁面または床面に取り付けられたイオン発生装置付きダクト１０２は、熱交換形換気装置等の換気装置（図示せず）から送風する給気流１０３の通風路を形成するフレーム１０４に、イオン発生器１０５からイオンを放出することで、室内１０１へイオンを供給していた。
【先行技術文献】
【特許文献】
【０００５】
【特許文献１】特開２００９−１２７８７１号公報号公報
【発明の概要】
【発明が解決しようとする課題】
【０００６】
このような従来のイオン発生装置付きダクトにおいては、イオン発生器をフレームに設けているのでイオン発生器の大きさや個数が制限される、という課題を有していた。
【０００７】
そこで本発明は、上記従来の課題を解決するものであり、イオン発生器の大きさや個数が制限されないイオン発生装置付きダクトを提供することを目的とする。
【課題を解決するための手段】
【０００８】
そして、この目的を達成するために、本発明は、室外空間に取り付けられ、熱交換形換気装置等の換気装置から送風された給気流を給気グリルまたは室内側ダクトへ通風するイオン発生装置付きダクトであって、室外側ダクトと連通する室外側開口と、前記給気グリルまたは前記室内側ダクトと連通する室内側開口と、前記室外側開口と前記室内側開口との間に前記給気流の通風路を形成する給気ダクトを設け、前記給気ダクトの内部にはイオンを放出する静電霧化手段を備えたとしたものであり、これにより所期の目的を達成するものである。
【発明の効果】
【０００９】
本発明によれば、室外空間に取り付けられ、熱交換形換気装置等の換気装置から送風された給気流を給気グリルまたは室内側ダクトへ通風するイオン発生装置付きダクトであって、室外側ダクトと連通する室外側開口と、前記給気グリルまたは前記室内側ダクトと連通する室内側開口と、前記室外側開口と前記室内側開口との間に前記給気流の通風路を形成する給気ダクトを設け、前記給気ダクトの内部にはイオンを放出する静電霧化手段を備えた、という構成にしたことにより、室外空間で給気ダクトを室外側ダクトと室内側ダクトとに接続し、室内側から給気グリルと室内の開口部から引っ張りだした給気ダクトとを接続し、給気グリルを室内の内面に設置することとなるので、イオン発生器の大きさや個数が制限されない、という効果を得ることができる。
【図面の簡単な説明】
【００１０】
【図１】本発明の実施の形態１のイオン発生装置付きダクトの設置例の側面概略図
【図２】同イオン発生装置付きダクトの側面概略構成図
【図３】本発明の実施の形態２のイオン発生装置付きダクトの側面概略構成図
【図４】本発明の実施の形態３のイオン発生装置付きダクトの側面概略構成図
【図５】本発明の実施の形態４のイオン発生装置付きダクトの概略図、（ａ）全体の側面概略構成図、（ｂ）同給気流が送風されたときの同イオン発生装置付き給気ダクトの（ａ）のＡ部の側面詳細概略構成図、（ｃ）同給気流が送風されないときの同イオン発生装置付き給気ダクトの（ａ）のＡ部の側面詳細概略構成図
【図６】従来のイオン発生装置付き給気ダクトの設置例を示す概略断面図
【発明を実施するための形態】
【００１１】
本発明の請求項１記載のイオン発生装置付きダクトは、室外空間に取り付けられ、熱交換形換気装置等の換気装置から送風された給気流を給気グリルまたは室内側ダクトへ通風するイオン発生装置付きダクトであって、室外側ダクトと連通する室外側開口と、前記給気グリルまたは前記室内側ダクトと連通する室内側開口と、前記室外側開口と前記室内側開口との間に前記給気流の通風路を形成する給気ダクトを設け、前記給気ダクトの内部にはイオンを放出する静電霧化手段を備えた、という構成を有する。これにより、室外空間で給気ダクトを室外側ダクトと室内側ダクトとに接続し、室内側から給気グリルと室内の開口部から引っ張りだした室内側ダクトとを接続し、給気グリルを室内の内面に設置することとなるので、イオン発生器の大きさや個数が制限されない、という効果を奏する。
【００１２】
以下、本発明の実施の形態について図面を参照しながら説明する。
【００１３】
（実施の形態１）
図１および図２に示すように、室外空間１に取り付けたイオン発生装置付きダクト２は、熱交換形換気装置等の換気装置３と換気装置３に接続された室外側ダクト４を介して連通する室外側開口５と、室内６の内面に取り付けた給気グリル７と給気グリル７に接続された室内側ダクト８を介して連通する室内側開口９を有し、室外側開口５と室内側開口９との間に熱交換形換気装置等の換気装置３から送風された室外からの空気である給気流１０の通風路を形成する給気ダクト１１を備え、給気ダクト１１の内部には、例えばこの実施の形態では室内側開口９の付近にイオンを放出する静電霧化手段１２を設けた構成となっている。
【００１４】
なお、静電霧化手段１２は給気ダクト１１の上面に設けた構成でも良い。
【００１５】
そして、熱交換形換気装置等の換気装置３から室外側ダクト４を介して給気ダクト１１の内部へ室外からの空気である給気流１０が送風されると、静電霧化手段１２から給気ダクト１１の内部へ放出したイオンを、給気流１０とともに室内６へ供給し、室内６の空間の除菌や脱臭を行う。
【００１６】
上記構成において、イオン発生装置付きダクト２を施工する際には、室外空間１で室外側開口５を室外側ダクト４に接続し、室内側開口９を室内側ダクト８に接続した後に、室内側から室内側ダクト８を室内６の開口部から引っ張りだし、室内側ダクト８と給気グリル７とを接続してから、給気グリル７の一部分を室外空間１へ差し込み、給気グリル７を室内６の内面に設置する。
【００１７】
その結果、給気グリル７に静電霧化手段１２を設ける場合と比較して、イオン発生装置付きダクト２に静電霧化手段１２を設けた場合は、静電霧化手段１２の大きさや個数が制限されないという効果を得ることができる。
【００１８】
詳述すると、給気グリル７は室内６から一部分を室外空間１へ差し込み、室内６の内面に設置するため、その施工条件から製品の大きさや形状が制限されている。
【００１９】
それに対して、イオン発生装置付きダクト２は室外空間１で設置することができるため、給気グリル７と比較すると製品の大きさや形状が制限されることがない。
【００２０】
そのため、静電霧化手段１２の大きさや個数が制限されることなく、静電霧化手段１２をイオン発生装置付きダクト２の内部に設けることができることとなる。
【００２１】
なお、本発明は、本実施の形態１では、イオン発生装置付きダクト２は室内側ダクト８を介して給気グリル７と接続しているが、イオン発生装置付きダクト２を直接給気グリル７と接続しても良い。
【００２２】
なお、本発明は、本実施の形態１では、天面取り付けにおいて説明したが、壁面または床面に取り付けてもよい。
【００２３】
（実施の形態２）
実施の形態１と同じ構成には同符号を付し、詳しい説明は省略する。
【００２４】
図３に示すように、給気ダクト１１の内部には、例えばこの実施の形態では室外側開口５の付近に給気流１０の風速を検知するセンサー１３を設けた構成となっている。
【００２５】
センサー１３は熱線式、風杯式、風車式、超音波式、電磁式、カルマン渦等の方式により、給気流１０の風速を検知している。
【００２６】
上記構成において、図３のように熱交換形換気装置等の換気装置３（図１参照）から室外側ダクト４（図１参照）を介して給気ダクト１１の内部へ室外からの空気である給気流１０が送風されると、センサー１３は給気流１０の風速を検知して、静電霧化手段１２から給気ダクト１１の内部へイオンを放出させ、給気流１０とともに室内６（図１参照）へ供給し、室内６の空間の除菌や脱臭を行う。
【００２７】
ここで、熱交換形換気装置等の換気装置３から給気流１０が送風されないときにおいては、センサー１３は給気流１０の風速を検知せず、静電霧化手段１２からイオンの放出を停止する。
【００２８】
しかし、センサー１３を備えていない場合においては、熱交換形換気装置等の換気装置３から給気流１０が送風されていても、送風されていなくても静電霧化手段１２からイオンを放出してしまい、不要な電力消費をしてしまう。
【００２９】
詳述すると、給気流１０が送風されているときは、放出したイオンは給気流１０とともに室内６へ供給することができる。しかし、給気流１０が送風されていないときは、給気ダクト１１の内部に給気流１０が送風されず室内６へイオンを供給できないのにもかかわらず、イオンを放出し続けており、不要な電力消費をしてしまう。
【００３０】
そのため、センサー１３を備える本発明は、熱交換形換気装置等の換気装置３から給気流１０が送風されないときには、静電霧化手段１２からイオンの放出を停止することができ、不要な電力消費を防ぐことができることとなる。
【００３１】
なお、本発明は、本実施の形態２では、天面取り付けにおいて説明したが、壁面または床面に取り付けてもよい。
【００３２】
（実施の形態３）
実施の形態２と同じ構成には同符号を付し、詳しい説明は省略する。
【００３３】
図４に示すように、給気ダクト１１の内部には、給気流１０の圧力を検知するセンサー１３を設けた構成となっている。
【００３４】
センサー１３は機械式、液柱式、熱伝導率式、電離真空式等の方式により、給気流１０の圧力を検知することで給気流１０の流量を検出することができる。
【００３５】
上記構成において、図４のように熱交換形換気装置等の換気装置３（図１参照）から室外側ダクト４（図１参照）を介して給気ダクト１１の内部へ給気流１０が送風されると、センサー１３は給気流１０の圧力から給気流１０の流量を検出して、静電霧化手段１２から給気ダクト１１の内部へイオンを放出させ、給気流１０とともに室内６（図１参照）へ供給し、室内６の空間の除菌や脱臭を行う。
【００３６】
ここで、熱交換形換気装置等の換気装置３から給気流１０が送風されないときにおいては、センサー１３は給気流１０の圧力から給気流１０の流量を検出せず、静電霧化手段１２からイオンの放出を停止することができる。
【００３７】
そのため、センサー１３を備える本発明は、熱交換形換気装置等の換気装置３から給気流１０が送風されないときには、静電霧化手段１２からイオンの放出を止めることができ、不要な電力消費を防ぐことができることとなる。
【００３８】
なお、本発明は、本実施の形態３では、天面取り付けにおいて説明したが、壁面または床面に取り付けてもよい。
【００３９】
（実施の形態４）
実施の形態３と同じ構成には同符号を付し、詳しい説明は省略する。
【００４０】
図５（ａ）に示すように、給気ダクト１１の内部には、給気流１０の風圧により可動するシャッター１４と、シャッター１４の可動状態を検知するセンサー１３を設けた構成となっている。
【００４１】
上記構成において、図５（ａ）のように熱交換形換気装置等の換気装置３（図１参照）から室外側ダクト４（図１参照）を介して給気ダクト１１の内部へ給気流１０が送風されると、図５（ｂ）のようにシャッター１４が給気流１０の風圧により可動する。そこで、センサー１３はシャッター１４の可動状態を検出して、静電霧化手段１２から給気ダクト１１の内部へイオンを放出させ、給気流１０とともに室内６（図１参照）へ供給し、室内６の空間の除菌や脱臭を行う。
【００４２】
ここで、熱交換形換気装置等の換気装置３から給気流１０が送風されないときにおいては、図５（ｃ）のようにシャッター１４が給気流１０の風圧により可動しないため、センサー１３はシャッター１４の可動状態を検出せず、静電霧化手段１２からイオンの放出を停止することができる。
【００４３】
そのため、センサー１３を備える本発明は、熱交換形換気装置等の換気装置３から給気流１０が送風されないときには、静電霧化手段１２からイオンの放出を停止することができ、不要な電力消費を防ぐことができることとなる。
【００４４】
なお、本発明は、本実施の形態４では、天面取り付けにおいて説明したが、壁面または床面に取り付けてもよい。
【産業上の利用可能性】
【００４５】
本発明にかかるイオン発生装置付きダクトは、イオン発生器の大きさや個数が制限されないことを可能とするものであるので、給気用換気扇や給気用送風機等に用いるダクトとして有用である。
【符号の説明】
【００４６】
１  室外空間
２  イオン発生装置付きダクト
３  換気装置
４  室外側ダクト
５  室外側開口
６  室内
７  給気グリル
８  室内側ダクト
９  室内側開口
１０  給気流
１１  給気ダクト
１２  静電霧化手段
１３  センサー
１４  シャッター
【図１】
2015102283.tif 000003
【図２】
2015102283.tif 000004
【図３】
2015102283.tif 000005
【図４】
2015102283.tif 000006
【図５】
2015102283.tif 000007
【図６】
2015102283.tif 000008